(57)【要約】【課題】利用者が望む組合わせの商品に対するクーポンを提供すること。【解決手段】クーポン提供装置は、第１の商品と、前記第１の商品との同時選択がクーポンの適用条件となる第２の商品とを対応付けて記憶する記憶部と、利用者が選択した複数の商品に、前記第１の商品が含まれ、かつ、当該第１の商品と対応付けられた複数の前記第２の商品のいずれかが含まれるか否かを判定する判定部と、前記判定部により、前記利用者が選択した複数の商品に前記第１の商品と前記第２の商品が含まれると判定された場合は、前記クーポンを適用する適用部とを有することを特徴とする。【選択図】図１
2015072529.tif 000002
【特許請求の範囲】
【請求項１】
第１の商品と、前記第１の商品との同時選択がクーポンの適用条件となる第２の商品とを対応付けて記憶する記憶部と、
利用者が選択した複数の商品に、前記第１の商品が含まれ、かつ、当該第１の商品と対応付けられた複数の前記第２の商品のいずれかが含まれるか否かを判定する判定部と、
前記判定部により、前記利用者が選択した複数の商品に前記第１の商品と前記第２の商品が含まれると判定された場合は、前記クーポンを適用する適用部と
を有することを特徴とするクーポン提供装置。
【請求項２】
前記記憶部は、複数の前記第１の商品と、複数の前記第２の商品とを対応付けて記憶し、
前記判定部は、前記利用者が選択した複数の商品に、複数の前記第１の商品のうちのいずれかが含まれ、かつ、当該第１の商品と対応付けて前記記憶部に記憶された複数の第２の商品のうちのいずれかが含まれるか否かを判定する
ことを特徴とする請求項１に記憶のクーポン提供装置。
【請求項３】
前記第１の商品と、前記第２の商品との登録を前記クーポンの発行店舗側から受け付ける受付部を有し、
前記記憶部は、前記受付部が受け付けた前記第１の商品と前記第２の商品とを対応付けて記憶する
ことを特徴とする請求項１または２に記載のクーポン提供装置。
【請求項４】
前記記憶部は、前記第１の商品と、前記第２の商品と、前記クーポンの適用内容とを対応付けて記憶し、
前記適用部は、前記判定部により、前記利用者が選択した商品に前記第１の商品と前記第２の商品が含まれると判定された場合は、前記記憶部により当該第２の商品と対応付けて記憶されたクーポンの適用内容を反映させる
ことを特徴とする請求項１〜３のいずれか１つに記載のクーポン提供装置。
【請求項５】
前記記憶部は、前記第１の商品、前記第２の商品と前記クーポンの第１の適用内容との組、および、前記第１の商品との同時選択が前記クーポンの適用条件となる商品である第３の商品と前記クーポンの第２の適用内容との組、を対応付けて記憶し、
前記判定部は、前記利用者が選択した複数の商品に、前記第１の商品が含まれ、かつ、当該第１の商品と対応付けられた前記第２の商品または前記第３の商品のうちのいずれかが含まれるか否かを判定し、
前記適用部は、前記判定部により、前記利用者が選択した商品に前記第１の商品と前記第２の商品とが含まれると判定された場合は、前記クーポンの第１の適用内容を反映させ、前記判定部により、前記利用者が選択した商品に前記第１の商品と前記第３の商品とが含まれると判定された場合は、前記クーポンの第２の適用内容を反映させる
ことを特徴とする請求項１〜４のいずれか１つに記載のクーポン提供装置。
【請求項６】
前記記憶部は、前記第１の商品と前記第２の商品と前記クーポンの識別子とを対応付けて記憶し、
前記判定部は、前記利用者が選択した複数の商品に、当該利用者が獲得したクーポンの識別子と対応付けて前記記憶部が記憶する第１の商品が含まれ、かつ、当該第１の商品と対応付けて前記記憶部が記憶する第２の商品のうちのいずれかが含まれるか否かを判定する
ことを特徴とする請求項１〜５のいずれか１つに記載のクーポン提供装置。
【請求項７】
前記記憶部が対応付けて記憶する前記第１の商品と前記第２の商品との情報を前記利用者が使用する端末に出力する出力部を有し、
前記判定部は、前記端末を介して前記利用者が選択した複数の商品に、前記第１の商品が含まれ、かつ、当該第１の商品と対応付けられた前記第２の商品のうちのいずれかが含まれるか否かを判定する
ことを特徴とする請求項１〜６のいずれか１つに記載のクーポン提供装置。
【請求項８】
利用者にクーポンを提供するクーポン提供装置が、
前記利用者が選択した複数の商品に、第１の商品が含まれ、かつ、前記第１の商品との同時選択が前記クーポンの適用条件となる複数の第２の商品のいずれかが含まれるか否かを判定し、
前記利用者が選択した商品に前記第１の商品と前記第２の商品とが含まれると判定した場合は、前記クーポンを前記第１の商品に適用する
処理を実行することを特徴とするクーポン提供方法。
【請求項９】
コンピュータに、
利用者が選択した商品に、第１の商品が含まれ、かつ、前記第１の商品との同時選択がクーポンの適用条件となる複数の第２の商品のいずれかが含まれるか否かを判定し、
前記利用者が選択した商品に前記第１の商品と前記第２の商品とが含まれると判定した場合は、前記クーポンを前記第１の商品に適用する
処理を実行させることを特徴とするクーポン提供プログラム。
【発明の詳細な説明】
【技術分野】
【０００１】
本発明は、クーポン提供装置、クーポン提供方法およびクーポン提供プログラムに関する。
【背景技術】
【０００２】
従来、利用者にクーポンを提供することで、利用者の購買意欲を促進させるクーポン提供システムが知られている。このようなクーポン提供システムの一例として、複数の商品を同時に購入することが適用条件となるクーポンを提供するクーポン提供システムが知られている。
【０００３】
例えば、このようなクーポン提供システムは、同時に購入することが適用条件となる複数の商品が、クーポンの企画者によって予め設定される。また、クーポン提供システムは、利用者がクーポンを選択すると、かかるクーポンの適用条件として予め設定された複数の商品を利用者の仮想的な買い物カゴに追加する。そして、クーポン提供システムは、買い物カゴに追加された複数の商品について利用者が決済を行う場合は、クーポンを適用し、商品の割引やポイントの付与を行なう。
【先行技術文献】
【特許文献】
【０００４】
【特許文献１】特開２０１３−０７７２３０号公報
【発明の概要】
【発明が解決しようとする課題】
【０００５】
しかしながら、従来の技術では、企画者が予め設定した複数の商品を同時に購入することがクーポンの適用条件となるので、利用者が望む組合わせの商品に対するクーポンを提供できないという問題がある。また、例えば、従来の技術では、予め設定された商品の組み合わせと利用者が望む商品の組み合わせとが異なる場合には、クーポンが適用されないので、販売機会を逃す場合がある。
【０００６】
本願は、上記に鑑みてなされたものであって、利用者が望む組合わせの商品に対するクーポンを提供することを目的とする。
【課題を解決するための手段】
【０００７】
本願に係るクーポン提供装置は、第１の商品と、前記第１の商品との同時選択がクーポンの適用条件となる第２の商品とを対応付けて記憶する記憶部と、利用者が選択した複数の商品に、前記第１の商品が含まれ、かつ、当該第１の商品と対応付けられた複数の前記第２の商品のいずれかが含まれるか否かを判定する判定部と、前記判定部により、前記利用者が選択した複数の商品に前記第１の商品と前記第２の商品が含まれると判定された場合は、前記クーポンを適用する適用部とを有することを特徴とする。
【発明の効果】
【０００８】
実施形態の一態様によれば、利用者が望む組合わせの商品に対するクーポンを提供することができる。
【図面の簡単な説明】
【０００９】
【図１】図１は、実施形態に係る情報処理システムが発揮する機能の一例を示す説明図である。
【図２】図２は、実施形態に係る電子取引サーバの機能構成の一例を示す図である。
【図３】図３は、実施形態に係る商品情報テーブルに格納された情報の一例を示す図である。
【図４】図４は、実施形態に係るクーポン情報管理テーブルに格納された情報の一例を示す図である。
【図５】図５は、実施形態に係る獲得クーポン情報管理テーブルに格納された情報の一例を示す図である。
【図６】図６は、実施形態に係る買い物カゴ管理テーブルに格納された情報の一例を示す図である。
【図７】図７は、実施形態に係る設定登録画面の一例を示す図である。
【図８】図８は、同時購入商品の設定を行う設定登録画面の一例を示す図である。
【図９】図９は、実施形態に係る電子取引サーバが生成するＷｅｂページの一例を示す図である。
【図１０】図１０は、実施形態に係る設定登録画面の変形例を示す図である。
【図１１】図１１は、実施形態に係るクーポン情報管理テーブルに格納される情報の一例を示す図である。
【図１２】図１２は、実施形態に係る電子取引サーバが生成するＷｅｂページの変形例を説明する図である。
【図１３】図１３は、実施形態に係る電子取引サーバがクーポンの設定を受け付ける処理の流れを示すフローチャートである。
【図１４】図１４は、実施形態に係る電子取引サーバがクーポンを適用するか否かを判定する処理を示すフローチャートである。
【図１５】図１５は、クーポン提供プログラムを実行するコンピュータのハードウェア構成の一例を示す図である。
【発明を実施するための形態】
【００１０】
以下に、本願に係るクーポン提供装置、クーポン提供方法およびクーポン提供プログラムを実施するための形態（以下、「実施形態」と呼ぶ）について図面を参照しつつ詳細に説明する。なお、この実施形態により本願に係るクーポン提供装置、クーポン提供方法およびクーポン提供プログラムが限定されるものではない。また、以下の各実施形態において同一の部位には同一の符号を付し、重複する説明は省略される。
【００１１】
［１．情報処理システム］
まず、図１を用いて、実施形態に係るクーポン提供装置の一例である電子取引サーバ１０を有する情報処理システム１について説明する。図１は、実施形態に係る情報処理システムが発揮する機能の一例を示す説明図である。図１に示す例では、情報処理システム１は、店舗端末２、ネットワーク３、利用者端末４、電子取引サーバ１０を有する。なお、情報処理システム１は、他にも複数の店舗端末２および利用者端末４を有するものとする。
【００１２】
店舗端末２は、電子取引サーバ１０が提供する電子商店街の店舗が利用する端末装置であり、電子商店街に出品する商品の登録及びクーポンの設定を行なうことができる端末装置である。例えば、店舗端末２は、ＰＣ（Personal  Computer）やＰＤＡ（Personal  Data  Assistance）、タブレット端末等の情報処理装置が適用される。また、店頭端末２は、無線ＬＡＮ（Local  Area  Network）や有線ＬＡＮ等を用いて、ネットワーク３に接続し、電子取引サーバ１０と通信することができる。
【００１３】
利用者端末４は、電子取引サーバ１０が提供する電子商店街のサービスを利用する利用者が使用する端末装置であり、例えば、タブレット端末、ＰＣ、ＰＤＡ、スマートフォン等の情報処理装置が適用される。また、利用者端末４は、３Ｇ（Generation）、４Ｇ、ＬＴＥ（Long  Term  Evolution）、ＧＳＭ（登録商標）（Global  System  for  Mobile  Communications）等の無線通信網や、ｂｌｕｅｔｏｏｔｈ（登録商標）、無線ＬＡＮなどの近距離無線通信を介してネットワーク３に接続し、電子取引サーバ１０と通信することができる。
【００１４】
電子取引サーバ１０は、商品の紹介、購入、決済等をウェブ画面上で実現する電子商店街を提供することができるサーバ装置である。例えば、電子取引サーバ１０は、電子商店街に店舗を構える運営者が店舗端末２を介して登録した商品の写真、商品の説明、価格等の商品データを記憶する。また、電子取引サーバ１０は、利用者端末４からの要求に応じて、電子商店街の各店舗を表示するＷｅｂページ、各店舗の商品を表示するＷｅｂページ、各店舗が出品する商品を横断的に表示するＷｅｂページ等を、記憶した商品データを用いて作成する。そして、電子取引サーバ１０は、作成したＷｅｂページを利用者端末４に送信し、表示させる。
【００１５】
また、電子取引サーバ１０は、利用者端末４が購入する商品を選択した場合は、利用者が選択した商品を仮想的な買い物カゴに入れる。そして、電子取引サーバ１０は、利用者が決済を要求した場合は、かかる利用者の仮想的な買い物カゴに入れられた商品の決済を実行する。
【００１６】
ここで、電子取引サーバ１０は、運営者が設定したクーポンを利用者に提供する場合がある。例えば、電子取引サーバ１０は、商品の購買意欲を促進させるため、運営者が設定したクーポンの一覧を含むＷｅｂページを作成し、作成したＷｅｂページを利用者端末４に送信する。そして、電子取引サーバ１０は、利用者端末４から利用者の識別子である利用者ＩＤと利用者が選択したクーポンの識別子であるクーポンＩＤを受信すると、かかる利用者ＩＤとクーポンＩＤとを対応付けて記憶する。すなわち、電子取引サーバ１０は、利用者が獲得したクーポンを記憶する。
【００１７】
そして、電子取引サーバ１０は、利用者が決済を行なう場合は、かかる利用者が獲得したクーポンを適用する。例えば、電子取引サーバ１０は、商品の決済を行なった利用者の利用者ＩＤと対応付けられたクーポンＩＤを識別し、識別したクーポンＩＤが示すクーポンを特定する。また、電子取引サーバ１０は、特定したクーポンの適用可否を問い合わせるＷｅｂページを作成し、利用者端末４へ送信する。そして、電子取引サーバ１０は、利用者端末４からクーポンの利用する旨を受信した場合は、特定したクーポンを適用する。詳細な例を挙げると、電子取引サーバ１０は、クーポンが商品の価格を３割引にするクーポンである場合は、商品の価格を３割引にして決済処理を実行する。
【００１８】
また、電子取引サーバ１０は、クーポンに適用条件を設定することができる。例えば、電子取引サーバ１０は、適用対象となる商品が固定されたクーポン、利用者端末４がスマートフォンである場合にのみ適用可能なクーポン、店舗が発行するメールマガジンの購読者のみが利用可能なクーポン等を設定することができる。かかる適用条件が設定されている場合、電子取引サーバ１０は、利用者が決済を行った際に、仮想的な買い物カゴに入れられた商品の種別、利用者端末４の種別、利用者の属性等からクーポンの適用条件を満たすか否かを判定する。そして、電子取引サーバ１０は、クーポンの適用条件が満たされると判定した場合は、利用者にクーポンの利用可否を問い合わせるＷｅｂページを作成し、利用者端末４へ送信する。
【００１９】
なお、クーポンの適用内容は、商品価格の割引だけではなく、例えば、ポイントの付与やポイントの付与率の増加、送料の無料化等任意の内容を採用することができる。以下の説明では、クーポンの適用内容として、商品価格の割引が行われる例について説明する。また、電子取引サーバ１０が提供する商品には、食品、被服、アクセサリー等の物品以外にも、例えば、飲食店、スポーツジム、マッサージ店等のサービスの提供が含まれるものとする。
【００２０】
ここで、クーポンは、運営者が店舗端末２を介して、必要事項を入力することで設定される。例えば、電子取引サーバ１０は、店舗端末２に対し、クーポンの対応商品、割引率、クーポンの適用条件等のクーポン情報を設定するためのクーポン設定画面を表示させる。そして、電子取引サーバ１０は、店舗端末２を介して利用者が入力したクーポン情報をクーポンＩＤと対応付けて記憶する。その後、電子取引サーバ１０は、決済処理を行う際に、利用者が獲得したクーポンのクーポンＩＤと対応付けられたクーポン情報を用いて、適用条件を満たすか否か判定し、適用条件を満たすと判定した場合は、クーポン情報が示すクーポンの内容を適用させる。
【００２１】
ここで、従来の技術では、予め設定された複数の商品を仮想的な買い物カゴに入れた状態で決済を行なった場合、すなわち、運営者により予め設定された組み合わせの複数の商品を同時購入した場合にクーポンを適用した。しかしながら、従来の技術では、運営者が予め設定した商品の組合せが、利用者が望む商品の組合せと異なる場合には、クーポンが設定されているにも係らず、利用者が商品の購買を躊躇し、販売機会を失う場合があった。
【００２２】
そこで、電子取引サーバ１０は、以下の処理を実行する。まず、電子取引サーバ１０は、クーポンの適用対象となる商品（以下、クーポン対象商品と記載する）の商品ＩＤの設定を受け付ける。また、電子取引サーバ１０は、クーポン対象商品との同時購入がクーポンの適用条件となる商品（以下、同時購入商品と記載する）の商品ＩＤの設定を受け付ける。そして、電子取引サーバ１０は、クーポン対象商品の商品ＩＤと複数の同時購入商品の商品ＩＤとを対応付けて記憶する。
【００２３】
また、電子取引サーバ１０は、利用者が決済を行なった場合は、利用者が選択した商品にクーポン対象商品が含まれ、かつ、利用者が選択した商品に同時購入商品のいずれかが含まれているか否かを判定する。そして、電子取引サーバ１０は、利用者が選択した商品にクーポン対象商品が含まれ、かつ、利用者が選択した商品に同時購入商品のいずれかが含まれている場合は、クーポンの適用条件を満たすと判定し、クーポンの適用を行なう。
【００２４】
すなわち、電子取引サーバ１０は、クーポン対象商品と、複数の同時購入商品とを対応付けて記憶し、クーポン対象商品といずれかの同時購入商品とを同時購入した場合に適用されるクーポンを利用者に提供する。このため、利用者は、クーポンの適用を得るために、複数の同時購入商品の中から望む商品を選択することができる。このように、電子取引サーバ１０は、利用者が望む組み合わせの商品に対するクーポンを提供することができる。また、電子取引サーバ１０は、利用者が望む組み合わせの商品に対するクーポンを提供できる結果、販売機会の損失を軽減することができる。
【００２５】
例えば、従来の技術では、プリンタをクーポン対象商品とし、同時購入商品が黒色のインクであるクーポンが設定されていた。かかるクーポンは、文章を頻繁に印刷する利用者等、黒色のインクを多く用いる利用者にとっては魅力的であるが、写真を頻繁に印刷する利用者等、各色のインクを多く用いる利用者にとっては、クーポンの内容があまり魅力的とは言えず、販売機会を損失する恐れがある。また、同時購入商品ごとにクーポンを設定すると、１つの商品に対して多数のクーポンが設定されることとなるので、クーポンの管理が困難になる。
【００２６】
一方、電子取引サーバ１０は、プリンタをクーポン対象商品とし、黒色のインク、赤色のインク、青色のインク、黄色のインク、各色のインクセットを同時購入商品とすることができる。かかる場合、文章を頻繁に印刷する利用者は、プリンタと黒色のインクとを選択することができ、写真を頻繁に印刷する利用者は、プリンタと各色のインクセットとを選択することができる。このように、電子取引サーバ１０は、利用者に、クーポンの適用を受けるために選択する商品を選択させることができ、販売機会の損失を防ぐことができる。
【００２７】
なお、電子取引サーバ１０は、クーポンを適用する場合には、クーポン対象商品に対してクーポンの適用を行なう。例えば、電子取引サーバ１０は、クーポンの内容が商品価格を３割引にする内容である場合は、クーポン対象商品の価格を３割引にした額と同時購入商品の価格との和を決済額とする。しかしながら、実施形態はこれに限定されるものではない。例えば、電子取引サーバ１０は、クーポンの内容が全商品の商品価格を３割引にする内容である場合は、クーポン対象商品の価格と同時購入商品の価格との和を３割引にした額を決済額としてもよい。
【００２８】
なお、電子取引サーバ１０は、複数のクーポン対象商品を設定可能としてもよい。例えば、電子取引サーバ１０は、複数のクーポン対象商品と、複数の同時購入商品とを対応付けて記憶し、いずれかのクーポン対象商品と、いずれかの同時購入商品とを利用者が選択したと判定した場合に、クーポンを適用しても良い。かかる場合、電子取引サーバ１０は、利用者に提供する組み合わせの数を増やすことができるので、販売機会の損失をさらに軽減することができる。
【００２９】
また、電子取引サーバ１０は、クーポン対象商品と同時購入商品とを選択した際に適用されるクーポンを、利用者が獲得済みであるかを判定してもよい。例えば、電子取引サーバ１０は、クーポン対象商品と複数の同時購入商品とクーポンＩＤとを対応付けて記憶する。また、電子取引サーバ１０は、利用者が決済を要求した場合は、かかる利用者の利用者ＩＤと対応付けられたクーポンＩＤを特定し、特定したクーポンＩＤと対応付けられたクーポン対象商品と複数の同時購入商品とを特定する。
【００３０】
また、電子取引サーバ１０は、利用者の仮想的な買い物カゴに入れられた商品に、特定したクーポン対象商品と、特定した複数の同時購入商品のうちのいずれかが含まれているか否かを判定する。そして、電子取引サーバ１０は、利用者の仮想的な買い物カゴに入れられた商品に、特定したクーポン対象商品と、特定した複数の同時購入商品のうちのいずれかが含まれている場合には、クーポンを適用すると判定する。この結果、電子取引サーバ１０は、利用者がクーポンを獲得しているか否かに応じて、クーポンの適用を判定することができる。
【００３１】
また、電子取引サーバ１０は、クーポン対象商品と複数の同時購入商品とを並べて利用者に提示することで、クーポンの適用をうけることができる商品の組み合わせを利用者が容易に選択できるようにしてもよい。例えば、電子取引サーバ１０は、対応付けて記憶されたクーポン対象商品と複数の同時購入商品とを並べて表示するＷｅｂページを作成し、利用者端末４に送信する。かかる場合、利用者端末４は、作成されたＷｅｂページから、クーポンの適用対象となる商品と、複数の同時購入商品とを表示する。
【００３２】
そして、電子取引サーバ１０は、端末装置４を介して、利用者がクーポンの適用対象となる商品と、複数の同時購入商品のうちのいずれかとを選択し、決済を行った場合は、クーポンを適用する。このため、電子取引サーバ１０は、利用者に対し、クーポンの適用対象となる同時購入商品を容易に選択させることができる。
【００３３】
［２．電子取引サーバ１０が実行する処理の流れの一例］
次に、図１を用いて、電子取引サーバ１０が実行する処理の流れの一例について説明する。まず、電子取引サーバ１０は、店舗端末２にクーポン対象商品と同時購入商品との設定画面を表示させ、クーポン対象商品となる商品を識別する商品ＩＤと同時購入商品となる商品の商品ＩＤとの入力を受け付ける。
【００３４】
例えば、利用者は、図１中（Ａ）に示すように、クーポン対象商品の商品ＩＤ「商品＃１」〜「商品＃５」を入力し、図１中（Ｂ）に示すように同時購入商品の商品ＩＤ「商品＃１１」〜「商品＃１５」を入力する。かかる場合、電子取引サーバ１０は、図３中（Ｃ）に示すように、クーポンＩＤ「クーポン＃１」と、利用者が入力したクーポン対象商品の商品ＩＤ「商品＃１」〜「商品＃５」と、同時購入商品の商品ＩＤ「商品＃１１」〜「商品＃１５」とを対応付けて記憶する。
【００３５】
また、電子取引サーバ１０は、クーポンの獲得を行なうためのクーポン獲得ボタンと、かかるクーポンの適用対象となるクーポン対象商品と、かかるクーポン対象商品との同時購入がクーポンの適用条件となる同時購入商品とを表示するＷｅｂページを生成する。そして、電子取引サーバ１０は、生成したＷｅｂページを利用者端末４に送信する。この結果、利用者端末４は、図１中（Ｄ）に示す画面を表示する。
【００３６】
詳細には、利用者端末４は、図１中（Ｅ）に示すように、クーポンＩＤ「クーポン＃１」が示すクーポンの獲得ボタンを表示する。また、利用者端末４は、図１中（Ｆ）に示すように、商品ＩＤ「商品＃１」〜「商品＃５」が示す商品の写真や情報をクーポン対象商品として表示する。また、利用者端末４は、図１中（Ｇ）に示すように、商品ＩＤ「商品＃１１」〜「商品＃１５」が示す商品の写真や情報を同時購入商品として表示する。このため、利用者は、クーポン対象商品と同時購入商品との選択を容易に行なうことができる。
【００３７】
また、利用者端末４は、利用者がクーポン獲得用のボタンを押下すると、画面遷移を行なうことなく、利用者ＩＤ「利用者＃１」とクーポンＩＤ「クーポン＃１」とを電子取引サーバ１０に送信する。かかる場合、電子取引サーバ１０は、利用者ＩＤ「利用者＃１」とクーポンＩＤ「クーポン＃１」とを対応付けて記憶する。すなわち、電子取引サーバ１０は、利用者ＩＤ「利用者＃１」が示す利用者が、クーポンＩＤ「クーポン＃１」が示すクーポンを獲得した旨を記憶する。そして、利用者端末４は、クーポン獲得用のボタンの色を変更し、クーポン獲得済みである旨を表示する。このため、利用者は、クーポンを獲得した後で、クーポンが適用される商品の選択を自然に開始することができる。
【００３８】
また、利用者端末４は、クーポン対象商品や同時購入商品の写真や説明文を利用者が選択した場合は、電子取引サーバ１０から利用者が選択した商品のＷｅｂページを取得して表示する。そして、利用者端末４は、利用者が商品を購入する商品として選択した場合、例えば利用者が買い物カゴに入れるボタンを押下した場合には、図１中（Ｈ）に示すように、利用者ＩＤと、利用者が選択した商品の商品ＩＤを電子取引サーバ１０に送信する。かかる場合、電子取引サーバ１０は、受信した利用者ＩＤと商品ＩＤとを対応付けて記憶することで、利用者が買い物カゴに入れた商品を記憶する。
【００３９】
その後、利用者端末４は、利用者が決済を要求した場合は、決済要求を電子取引サーバ１０へ送信する。かかる場合、電子取引サーバ１０は、利用者が獲得したクーポンのクーポンＩＤと対応付けられたクーポン対象商品の商品ＩＤと同時購入商品の商品ＩＤとを特定する。また、電子取引サーバ１０は、利用者の買い物カゴに入れられた商品の商品ＩＤに、特定したクーポン対象商品の商品ＩＤのいずれかが含まれ、かつ、特定した同時購入商品の商品ＩＤのいずれかが含まれているか否かを判定する。そして、電子取引サーバ１０は、利用者の買い物カゴに入れられた商品の商品ＩＤに、特定したクーポン対象商品の商品ＩＤのいずれかが含まれ、かつ、特定した同時購入商品の商品ＩＤのいずれかが含まれている場合は、クーポンを適用すると判定する。
【００４０】
例えば、利用者ＩＤ「利用者＃１」が示す利用者がクーポンＩＤ「クーポン＃１」が示すクーポンを獲得した場合は、電子取引サーバ１０は、利用者ＩＤ「利用者＃１」とクーポンＩＤ「クーポン＃１」とを対応付けて記憶する。また、利用者ＩＤ「利用者＃１」が示す利用者が商品ＩＤ「商品＃１」が示す商品を選択して買い物カゴに入れるボタンを押下した場合は、電子取引サーバ１０は、利用者ＩＤ「利用者＃１」と商品ＩＤ「商品＃１」とを対応付けて記憶する。
【００４１】
また、利用者ＩＤ「利用者＃１」が示す利用者が商品ＩＤ「商品＃１１」が示す商品を選択して買い物カゴに入れるボタンを押下した場合は、電子取引サーバ１０は、利用者ＩＤ「利用者＃１」と商品ＩＤ「商品＃１１」とを対応付けて記憶する。この結果、電子取引サーバ１０は、利用者ＩＤ「利用者＃１」と商品ＩＤ「商品＃１」「商品＃１１」とを対応付けて記憶することとなる。
【００４２】
そして、電子取引サーバ１０は、利用者ＩＤ「利用者＃１」が示す利用者が決済を要求した場合は、利用者ＩＤ「利用者＃１」と対応付けられたクーポンＩＤ「クーポン＃１」を抽出する。そして、電子取引サーバ１０は、抽出したクーポンＩＤ「クーポン＃１」に対応付けられたクーポン対象商品の商品ＩＤ「商品＃１」〜「商品＃５」と、同時購入商品の商品ＩＤ「商品＃１１」〜「商品＃１５」を特定する。
【００４３】
そして、電子取引サーバ１０は、利用者ＩＤ「利用者＃１」と対応付けられた商品ＩＤ「商品＃１」「商品＃１１」に、クーポン対象商品の商品ＩＤ「商品＃１」〜「商品＃５」のいずれかと、同時購入商品の商品ＩＤ「商品＃１１」〜「商品＃１５」のいずれかとが含まれているか否かを判定する。かかる例では、利用者ＩＤ「利用者＃１」と対応付けられた商品ＩＤ「商品＃１」「商品＃１１」にクーポン対象商品の商品ＩＤ「商品＃１」と、同時購入商品の商品ＩＤ「商品＃１１」とが含まれている。このため、電子取引サーバ１０は、クーポンを適用すると判定する。そして、電子取引サーバ１０は、商品ＩＤ「商品＃３」が示す商品に対し、クーポンＩＤ「クーポン＃１」が示すクーポンを適用して決算処理を実行する。
【００４４】
［３．電子取引サーバの機能構成］
次に、図２を用いて、実施形態に係る電子取引サーバ１０の機能構成について示す。図２は、実施形態に係る電子取引サーバの機能構成の一例を示す図である。図２に示す例では、電子取引サーバ１０は、通信部１１、制御部１２、記憶部１３を有する。また、記憶部１３は、商品情報テーブル１４、クーポン情報管理テーブル１５、獲得クーポン情報管理テーブル１６、買い物カゴ管理テーブル１７を記憶する。また、制御部１２は、商品情報提供部１８、設定登録部１９、クーポン管理部２０、受付部２１、判定部２２、決済部２３を有する。
【００４５】
まず、記憶部１３が記憶する商品情報テーブル１４、クーポン情報管理テーブル１５、獲得クーポン情報管理テーブル１６、買い物カゴ管理テーブル１７に格納された情報の一例について説明する。商品情報テーブル１４には、電子取引サーバ１０が提供する電子商店街に出品された商品の情報が格納されている。
【００４６】
例えば、図３は、実施形態に係る商品情報テーブルに格納された情報の一例を示す図である。図３に示す例では、商品情報テーブル１４には、出品された商品ごとに、商品ＩＤと、商品の名称である商品名と、商品を出品した店舗を示す店舗ＩＤと、商品の価格とが対応付けて格納されている。なお、図３に示す例では、記載を省略したが、商品情報テーブルに１４には、商品を紹介するＷｅｂページを作成するために用いられる他の情報や、商品の管理を行うために用いられる他の情報も格納されているものとする。
【００４７】
例えば、図３に示す例では、商品情報テーブル１４には、商品ＩＤ「商品＃１」と商品名「ワンピース」と店舗ＩＤ「店舗＃１」と価格「１４０００円」が対応付けて記憶され、商品ＩＤ「商品＃２」と商品名「ワンピース」と店舗ＩＤ「店舗＃１」と価格「１５０００円」が対応付けて記憶されている。また、図３に示す例では、商品情報テーブル１４には、商品ＩＤ「商品＃３」と商品名「スカート」と店舗ＩＤ「店舗＃１」と価格「８９００円」が対応付けて記憶され、商品ＩＤ「商品＃４」と商品名「トラウザー」と店舗ＩＤ「店舗＃１」と価格「１００００円」が対応付けて記憶されている。
【００４８】
図２に戻り、説明を続ける。クーポン情報管理テーブル１５には、運営者が設定したクーポンの内容が格納されている。例えば、図４は、実施形態に係るクーポン情報管理テーブルに格納された情報の一例を示す図である。図４に示す例では、クーポン情報管理テーブル１５には、クーポンごとに、クーポンＩＤと、クーポンを設定した店舗の店舗ＩＤと、クーポンの適用対象となる商品の商品ＩＤと、同時購入商品の商品ＩＤと、クーポンが適用される際の割引率とが対応付けて格納されている。
【００４９】
例えば、図４に示す例では、クーポン情報管理テーブル１５には、クーポンＩＤ「クーポン＃１」、店舗ＩＤ「店舗＃１」、クーポン対象商品「商品＃１」「商品＃２」「商品＃３」…、同時購入商品「商品＃１１」「商品＃１２」「商品＃１３」…、割引率「３割引」が対応付けて格納されている。また、クーポン情報管理テーブル１５には、クーポンＩＤ「クーポン＃２」、店舗ＩＤ「店舗＃１」、クーポン対象商品「商品＃４」、同時購入商品「商品＃４」「商品＃１１」、割引率「１割引」が対応付けて格納されている。
【００５０】
また、クーポン情報管理テーブル１５には、クーポンＩＤ「クーポン＃３」、店舗ＩＤ「店舗＃２」、クーポン対象商品「商品＃１」「商品＃２」「商品＃３」…、同時購入商品「商品＃１１」「商品＃１３」、割引率「３割引」が対応付けて格納されている。また、クーポン情報管理テーブル１５には、クーポンＩＤ「クーポン＃４」、店舗ＩＤ「店舗＃３」、クーポン対象商品「商品＃３」、同時購入商品「商品＃１１」「商品＃１４」、割引率「２割引」が対応付けて格納されている。
【００５１】
なお、クーポン情報管理テーブル１５には、他にもクーポンの情報が格納されているものとする。例えば、クーポン情報管理テーブル１５には、ユーザーごとの利用可能回数、全ユーザーの利用可能回数、クーポンを利用可能な端末、利用条件等が格納されているものとする。
【００５２】
図２に戻って、説明を続ける。獲得クーポン情報管理テーブル１６には、利用者が獲得したクーポンのクーポンＩＤが格納されている。例えば、図５は、実施形態に係る獲得クーポン情報管理テーブルに格納された情報の一例を示す図である。図５に示すように、獲得クーポン情報管理テーブル１６には、利用者ＩＤと、かかる利用者ＩＤが示す利用者が獲得したクーポンのクーポンＩＤとが対応付けて格納されている。
【００５３】
例えば、図５に示す例では、獲得クーポン情報管理テーブル１６には、利用者ＩＤ「利用者＃１」とクーポンＩＤ「クーポン＃１」とが対応付けて格納され、利用者ＩＤ「利用者＃２」とクーポンＩＤ「クーポン＃２」とが対応付けて格納されている。また、獲得クーポン情報管理テーブル１６には、利用者ＩＤ「利用者＃３」とクーポンＩＤ「クーポン＃３」とが対応付けて格納され、利用者ＩＤ「利用者＃４」とクーポンＩＤ「クーポン＃４」とが対応付けて格納されている。
【００５４】
図２に戻って、説明を続ける。買い物カゴ管理テーブル１７は、各利用者の買い物カゴに入れられた商品を記憶する。例えば、図６は、実施形態に係る買い物カゴ管理テーブルに格納された情報の一例を示す図である。図６に示すように、買い物カゴ管理テーブル１７には、利用者ＩＤと、かかる利用者ＩＤが示す利用者の買い物カゴに入れられた商品の商品ＩＤとが対応付けて格納されている。
【００５５】
例えば、図６に示す例では、買い物カゴ管理テーブル１７には、利用者ＩＤ「利用者＃１」と商品ＩＤ「商品＃１」「商品＃１３」とが対応付けて格納されている。また、買い物カゴ管理テーブル１７には、利用者ＩＤ「利用者＃２」と商品ＩＤ「商品＃１」と「商品＃１１」とが対応付けて格納されている。
【００５６】
図２に戻って説明を続ける。通信部１１は、電子取引サーバ１０と店舗端末２との間の通信、および、電子取引サーバ１０と利用者端末４との間の通信を制御する。例えば、通信部１１は、商品情報提供部１８からＷｅｂページのデータを受信すると、受信したＷｅｂページのデータを利用者端末４に出力する。また、通信部１１は、設定登録部１９からクーポンの設定登録画面のデータを受信すると、受信したデータを店舗端末２に出力する。
【００５７】
また、通信部１１は、店舗端末２からクーポン情報を受信すると、受信した設定情報を設定登録部１９に出力する。また、通信部１１は、利用者端末４から、利用者ＩＤとクーポンＩＤとを対応付けたクーポン獲得情報を受信すると、受信したクーポン獲得情報をクーポン管理部２０に出力する。また、通信部１１は、利用者端末４から、利用者が選択した商品の商品ＩＤとかかる利用者の利用者ＩＤとを対応付けた選択情報や、決済を要求した利用者の利用者ＩＤを含む決済要求を受信すると、受信した商品ＩＤや決済要求を受付部２１に出力する。
【００５８】
商品情報提供部１８は、利用者に対し商品の情報を提供する。例えば、商品情報提供部１８は、利用者端末４からの要求に応じて、特定店舗が出品した商品、特定のキーワードに合致する商品、または、所定の商品ＩＤが示す商品の情報を利用者端末４に表示させるＷｅｂページを生成する。また、商品情報提供部１８は、利用者端末４からの要求に応じて、図１中（Ｄ）に例示したＷｅｂページを生成する。
【００５９】
詳細には、商品情報提供部１８は、商品情報テーブル１４とクーポン情報管理テーブル１５に格納された情報を用いて、クーポンの獲得ボタンと、かかる獲得ボタンにより獲得可能なクーポンの適用対象となるクーポン対象商品と、かかるクーポンの適用条件となる同時購入商品との表示が含まれるＷｅｂページを生成する。そして、商品情報提供部１８は、生成したＷｅｂページを通信部１１に出力する。
【００６０】
設定登録部１９は、各運営者によって設定されるクーポンの受付を行なう。例えば、設定登録部１９は、クーポン情報の入力を行う設定登録画面のデータを生成し、生成したデータを通信部１１に出力する。そして、設定登録部１９は、通信部１１から、店舗端末２を用いて利用者が入力したクーポンの情報を受信すると、受信したクーポン情報をクーポン情報管理テーブル１５に格納する。なお、設定登録部１９が生成する設定登録画面の詳細な例については、後述する。
【００６１】
クーポン管理部２０は、利用者が獲得したクーポンの管理を行う。例えば、クーポン管理部２０は、クーポン獲得情報を通信部１１から受信すると、受信したクーポン獲得情報から利用者ＩＤとクーポンＩＤとを抽出する。そして、クーポン管理部２０は、抽出した利用者ＩＤを含むエントリを獲得クーポン情報管理テーブル１６から検索し、検索したエントリに抽出したクーポンＩＤを格納する。
【００６２】
なお、クーポン管理部２０は、クーポン情報管理テーブル１５に格納された情報を用いて、クーポンの管理を行っても良い。具体的には、クーポン管理部２０は、抽出したクーポンＩＤをキーとして、クーポン情報管理テーブル１５からクーポン情報を抽出し、抽出したクーポン情報に応じて、利用者によるクーポン獲得の可否を判断してもよい。例えば、クーポン管理部２０は、各利用者がクーポンを利用可能な回数や全利用者がクーポンを取得可能な数等が設定されている場合には、獲得クーポン情報管理テーブル１６に格納されたクーポンＩＤの数に基づいて、クーポン獲得の可否を判断してもよい。
【００６３】
受付部２１は、利用者が選択した商品の商品ＩＤを受け付ける。例えば、受付部２１は、通信部１１から選択情報を受信すると、受信した選択情報から利用者ＩＤと商品ＩＤとを抽出する。そして、受付部２１は、抽出した利用者ＩＤを含むエントリを買い物カゴ管理テーブル１７から検索し、検索したエントリに抽出した商品ＩＤを格納する。そして、受付部２１は、通信部１１から決済要求を受信した場合は、決済要求に含まれる利用者ＩＤを抽出し、抽出した利用者ＩＤを判定部２２に出力する。
【００６４】
判定部２２は、利用者が選択した商品に、クーポン対象商品のいずれかと、同時購入商品のいずれかとが含まれているか否かを判定する。具体的には、判定部２２は、受付部２１から利用者ＩＤを受信すると、受信した利用者ＩＤと対応付けられた商品ＩＤを買い物カゴ管理テーブル１７から読み出す。また、判定部２２は、受付部２１から利用者ＩＤを受信すると、受信した利用者ＩＤと対応付けられたクーポンＩＤを獲得クーポン情報管理テーブル１６から読み出す。
【００６５】
そして、判定部２２は、読み出したクーポンＩＤが示すクーポンの適用可否を判定する。例えば、判定部２２は、読み出したクーポンＩＤと対応付けられた各種情報をクーポン情報管理テーブル１５から読み出す。そして、判定部２２は、読み出した情報のうち、クーポン対象商品の商品ＩＤのいずれかが、買い物カゴ管理テーブル１７から読み出した商品ＩＤに含まれているか否かを判定する。
【００６６】
また、判定部２２は、クーポン対象商品の商品ＩＤのいずれかが買い物カゴ管理テーブル１７から読み出した商品ＩＤに含まれている場合は、クーポン情報管理テーブル１５から読み出した情報のうち、同時購入商品の商品ＩＤのいずれかが、買い物カゴ管理テーブル１７から読み出した商品ＩＤに含まれているか否かを判定する。そして、判定部２２は、同時購入商品の商品ＩＤのいずれかが、買い物カゴ管理テーブル１７から読み出した商品ＩＤに含まれている場合には、クーポンを適用すると判定する。すなわち、判定部２２は、利用者が選択した商品にクーポン対象商品のいずれかと同時購入商品のいずれかとが含まれる場合は、クーポンを適用すると判定する。
【００６７】
また、判定部２２は、クーポン対象商品の商品ＩＤのいずれかが買い物カゴ管理テーブル１７から読み出した商品ＩＤに含まれていない場合、または、同時購入商品の商品ＩＤのいずれかが買い物カゴ管理テーブル１７から読み出した商品ＩＤに含まれていない場合には、クーポンを適用しないと判定する。
【００６８】
そして、判定部２２は、クーポンを適用すると判定した場合は、適用するクーポンのクーポンＩＤに対応付けられたクーポンの情報と、買い物カゴ管理テーブル１７から抽出した商品ＩＤと、利用者ＩＤとを決済部２３に出力する。
【００６９】
決済部２３は、判定部２２が適用すると判定したクーポンを適用して決済を実行する。例えば、決済部２３は、適用すると判定されたクーポンの情報と、商品ＩＤと、利用者ＩＤとを受信する。かかる場合、決済部２３は、受信した商品ＩＤと対応付けられた価格を商品情報テーブル１４から抽出する。そして、決済部２３は、受信したクーポンの情報から割引率の値を抽出し、抽出した割引率をクーポン対象商品の価格に対して適用し、決済額を算出する。
【００７０】
例えば、決済部２３は、受信した情報に含まれる割引率の値が「３割引」である場合には、クーポン対象商品の価格を３割引にして決済額を算出する。また、決済部２３は、受信した情報に含まれる割引率の値が「５割引」である場合には、クーポン対象商品の価格を５割引にして決済額を算出する。その後、決済部２３は、受信した利用者ＩＤが示す利用者を請求先とする決済処理を実行する。なお、決済部２３が実行する決済処理の詳細については、従来と同様の決済処理が実行されるものとして、説明を省略する。
【００７１】
なお、決済部２３は、利用者がクーポンの適用条件を設定している場合には、かかる適用条件が満たされている場合にのみクーポンを適用しても良い。例えば、決済部２３は、受信したクーポンに、適用条件として商品の合計金額が設定されている場合は、判定部２２から受信した商品ＩＤと対応付けられた価格を商品情報テーブル１４から読出し、読み出した価格の合計額を算出する。
【００７２】
そして、決済部２３は、算出した合計額が、クーポンの適用条件として設定された商品の合計金額を上回っているか否かを判定し、算出した合計額が、クーポンの適用条件として設定された商品の合計金額を上回っている場合には、クーポンを適用した決済を行う。一方、決済部２３は、算出した合計額が、クーポンの適用条件として設定された商品の合計金額を下回る場合は、クーポンを適用しないで決済を行う。
【００７３】
［４．設定登録画面の例］
次に、図７、図８を用いて、設定登録部１９が店舗端末２に表示する設定登録画面の一例について説明する。まず、図７を用いて、クーポンを運営者が設定する際に表示される設定登録画面の初期画面について説明する。
【００７４】
図７は、実施形態に係る設定登録画面の一例を示す図である。設定登録部１９は、図７に示す設定登録画面を店舗端末２に表示させ、クーポン情報の入力を受け付ける。詳細な例を説明すると、設定登録部１９は、図７中（Ｉ）に示すように、各ユーザーがクーポンを利用可能な回数を入力するテキストボックスと、図７中（Ｊ）に示すように、全ユーザーがクーポンを利用可能な回数を入力するテキストボックスとを表示させる。また、設定登録部１９は、図７中（Ｋ）に示すように、クーポンを利用可能な端末をＰＣまたはスマートフォンに限定するか否かを選択するチェックボックスを表示させる。
【００７５】
また、設定登録部１９は、図７中（Ｌ）に示すように、クーポンの適用条件を入力する画面を表示させる。詳細には、設定登録部１９は、図７中（Ｍ）に示すように、適用条件を指定しない旨を示すラジオボタン、注文金額による適用条件を指定するラジオボタン、注文個数による適用条件を指定するラジオボタンを表示させる。そして、設定登録部１９は、注文金額による適用条件を指定するラジオボタン、または、注文個数による適用条件を指定するラジオボタンが選択された際に、注文金額がいくら以上でクーポンを利用可能とするか、または、注文個数が何個以上でクーポンを利用可能とするかを設定するテキストボックスを表示させる。
【００７６】
また、設定登録部１９は、図７中（Ｎ）に示すように、クーポンの適用対象となる商品の入力を受け付ける画面を表示させる。詳細には、設定登録部１９は、図７中（Ｏ）に示すように、ストア（店舗）内の全ての商品をクーポンの適用対象とする旨を示すラジオボタン、クーポン対象商品を指定する旨を示すラジオボタン、クーポン対象商品と同時購入商品とを指定する旨を示すラジオボタンを表示させる。そして、設定登録部１９は、図７中（Ｐ）に示すように、クーポン対象商品を指定する旨を示すラジオボタンが選択された際に、クーポン対象商品の商品ＩＤを入力するためのテキストボックスを表示させる。
【００７７】
利用者は、図７に例示した画面上で、ラジオボタンやチェックボックスの選択、クーポン対象商品の商品ＩＤ等各種クーポン情報の入力を行うことで、クーポンの設定を行うことができる。そして、設定登録部１９は、図７に示す画面上で、利用者がクーポンの各種情報を入力した場合は、かかる情報を取得し、取得した情報をクーポン情報管理テーブル１５に格納する。
【００７８】
ここで、設定登録部１９は、図７中（Ｏ）に示すラジオボタンのうち、クーポン対象商品と同時購入商品とを指定する旨を示すラジオボタンを選択した場合は、同時購入商品の商品ＩＤを入力するテキストボックスを表示させる。
【００７９】
例えば、図８は、同時購入商品の設定を行う設定登録画面の一例を示す図である。設定登録部１９は、図８中（Ｑ）に示すように、クーポン対象商品と同時購入商品とを指定する旨を示すラジオボタンが選択された場合は、図８中（Ｒ）に示すように、同時購入商品の商品ＩＤを入力するためのテキストボックスを表示させる。また、設定登録部１９は、利用者がクーポン情報の登録を指示した場合は、同時購入商品の商品ＩＤを入力するためのテキストボックスに、複数の商品ＩＤが入力されたか否かを判断し、複数の商品ＩＤが入力されていない場合は、利用者に複数の商品ＩＤを入力するよう促す。
【００８０】
そして、設定登録部１９は、同時購入商品の商品ＩＤを入力するためのテキストボックスに、複数の商品ＩＤが入力された場合は、クーポン対象商品を入力するためのテキストボックスに入力された商品ＩＤと、同時購入商品を入力するためのテキストボックスに入力された商品ＩＤとを対応付けてクーポン情報管理テーブル１５に格納する。この結果、設定登録部１９は、同時購入商品を利用者が選択可能なクーポンを設定できる。
【００８１】
なお、設定登録部１９は、図７、図８に示す設定登録画面以外にも、クーポンの有効期間、クーポンの内容、クーポンの利用条件、クーポンの利用可能回数等、クーポンの情報を登録するための設定登録画面を店舗端末２に表示させる。そして、利用者が各情報を入力した場合は、設定登録部１９は、入力された各情報をクーポン情報管理テーブル１５に格納する。
【００８２】
［５．商品情報提供部が生成するＷｅｂページの一例］
次に、図９を用いて、商品情報提供部１８が生成するＷｅｂページの一例について示す。図９は、実施形態に係る電子取引サーバが生成するＷｅｂページの一例を示す図である。例えば、商品情報提供部１８は、商品情報テーブル１４とクーポン情報管理テーブル１５に格納された情報を用いて、図９中（Ｓ）に示すように、クーポンの獲得ボタンと、かかる獲得ボタンにより獲得可能なクーポンの適用対象となるクーポン対象商品と、かかるクーポンの適用条件となる同時購入商品との表示が含まれるＷｅｂページを生成する。
【００８３】
詳細には、商品情報提供部１８は、図９中（Ｔ）に示すクーポン獲得ボタンを配置する。かかるクーポン獲得ボタンが押下された場合は、クーポン獲得ボタンと紐付けられたクーポンＩＤと利用者ＩＤとを含むクーポン獲得情報が利用者端末４から電子取引サーバ１０に送信される。また、利用者端末４は、クーポン獲得ボタンが押下された場合は、画面遷移を行うことなく、クーポン獲得ボタンの色を反転させ、クーポン獲得ボタンを押下できない状態に遷移させる。また、図９中（Ｕ）に示すクーポンを使うボタンを強調表示する。
【００８４】
また、商品情報提供部１８は、図９中（Ｖ）に示すように、クーポン情報の表示が含まれるＷｅｂページを作成する。詳細には、商品情報提供部１８は、クーポンの有効期間、クーポンの内容、クーポンの利用条件、クーポンの利用可能回数、クーポンを発行したストアの表示が含まれるＷｅｂページを作成する。詳細な例を説明すると、図９中（Ｖ）に示す例では、商品情報提供部１８は、クーポンの有効期間が「２０１３／１０／１  １８：００〜２０１３／１０／３１  １８：００」である旨を表示するＷｅｂページを作成する。
【００８５】
また、商品情報提供部１８は、クーポンの内容が「対象商品の価格から３０％ＯＦＦ」である旨を表示し、利用条件が「ＰＣ、スマートフォンからの購入」である旨を表示するＷｅｂページを作成する。また、商品情報提供部１８は、クーポンの内容が「お一人様３回まで」であり、発行ストアが「店舗＃１」である旨を表示するＷｅｂページを作成する。
【００８６】
また、商品情報提供部１８は、図９中（Ｗ）に示すように、クーポン対象商品となる商品の写真や商品名を並べて表示する。詳細な例を挙げると、商品情報提供部１８は、クーポン対象商品の商品ＩＤが「商品＃１」〜「商品＃５」である場合は、商品ＩＤ「商品＃１」〜「商品＃５」と対応付けられた商品の写真や商品名等を商品情報テーブル１４から読出し、読み出した商品の写真や商品名を表示するＷｅｂページを作成する。
【００８７】
また、商品情報提供部１８は、図９中（Ｘ）に示すように、同時購入商品となる商品の写真や商品名を並べて表示する。詳細な例を挙げると、商品情報提供部１８は、同時購入商品の商品ＩＤが「商品＃１１」〜「商品＃１５」である場合は、商品ＩＤ「商品＃１１」〜「商品＃１５」と対応付けられた商品の写真や商品名を商品情報テーブル１４から読出し、読み出した商品の写真や商品名を表示するＷｅｂページを作成する。
【００８８】
なお、図９に示す例では、クーポン対象商品や同時購入商品の商品名に変えて商品ＩＤを表示する例について記載した。また、かかる写真や商品名は、対応する商品を購入するためのＷｅｂページを表示するためのリンクが設定されているものとする。すなわち、かかる商品や商品名を利用者が押下した場合には、対応する商品を購入するためのＷｅｂページが表示され、かかるＷｅｂページに含まれる買い物カゴに入れるボタンを押下した場合には、利用者ＩＤと商品ＩＤとが対応付けて電子取引サーバ１０へ送信される。
【００８９】
利用者は、図９に示すＷｅｂページ上から、クーポンの獲得を行い、その後、クーポン対象商品と同時購入商品とからそれぞれ１つずつ商品を選択し、買い物カゴに入れる。そして、利用者が決済を要求した場合は、電子取引サーバ１０が買い物カゴに入れられた商品にクーポン対象商品と同時購入商品のいずれかとが含まれるか否かを判定し、クーポン対象商品と同時購入商品のいずれかとが含まれる場合には、クーポンを適用した決済処理を実行する。
【００９０】
［６．変形例］
上記した実施形態に係る情報処理システム１は、上記実施形態以外にも種々の異なる形態にて実施されてよい。そこで、以下では、上記の情報処理システム１の他の実施形態について説明する。
【００９１】
［６−１．電子取引サーバ１０が提供するクーポンの変形例］
上述した例では、電子取引サーバ１０は、複数のクーポン対象商品と複数の同時購入商品とを対応付けて記憶し、利用者が選択した商品に複数のクーポン対象商品のいずれかと同時購入商品のいずれかとが含まれるか否かを判定した。しかしながら、実施例は、これに限定されるものではない。例えば、電子取引サーバ１０は、クーポン対象商品となる商品の数を１つに限定しても良い。また、電子取引サーバ１０は、クーポン対象商品と同時購入商品とに同一の商品を含める設定を許容しても良い。かかる場合、電子取引サーバ１０は、同一の商品を２つ購入した場合は、１つめの商品の価格を割り引くといったクーポンの設定を行うことができる。
【００９２】
［６−２．同時購入商品の組を複数設定可能なクーポンの変形例］
また、電子取引サーバ１０は、同時購入商品の組である同時購入商品郡を複数設定し、利用者が選択した商品に含まれる同時購入商品がどの同時購入商品群に含まれるかに応じて、異なる割引率を適用しても良い。
【００９３】
例えば、電子取引サーバ１０は、複数の同時購入商品を同時購入商品群とし、１組のクーポン対象商品に対し、複数の同時購入商品群を対応付けて記憶する。また、電子取引サーバ１０は、第１の同時購入商品群と第１の割引率「３割引」とを対応付けて記憶し、第２の同時購入商品群と第２の割引率「５割引」とを対応付けて記憶する。また、電子取引サーバ１０は、利用者が選択した商品にクーポン対象商品が含まれ、かつ、利用者が選択した商品に第１の同時購入商品群または第２の同時購入商品群に含まれるいずれかの同時購入商品が含まれているか否かを判定する。
【００９４】
そして、電子取引サーバ１０は、利用者が選択した商品にクーポン対象商品が含まれ、かつ、利用者が選択した商品に第１の同時購入商品群に含まれる同時購入商品が含まれる場合は、クーポン対象商品の価格に対して第１の割引率「３割引」を適用する。また、電子取引サーバ１０は、利用者が選択した商品にクーポン対象商品が含まれ、かつ、利用者が選択した商品に第２の同時購入商品群に含まれる同時購入商品が含まれる場合は、クーポン対象商品の価格に対して第２の割引率「５割引」を適用する。
【００９５】
以下、図面を用いて、同時購入商品群を複数設定可能なクーポンを設定する例について説明する。まず、図１０を用いて、同時購入商品群を複数設定する場合に、電子取引サーバ１０が店舗端末２に表示される設定登録画面の一例について説明する。
【００９６】
図１０は、実施形態に係る設定登録画面の変形例を示す図である。例えば、設定登録部１９は、クーポン対象商品と複数の同時購入商品群とを指定させる場合には、図１０に示すように、複数の同時購入商品群の商品ＩＤを入力するテキストボックスを表示させる。
【００９７】
詳細には、設定登録部１９は、図１０中（Ｙ）に示すように、第１の同時購入商品群の商品ＩＤを入力するためのテキストボックスを表示させる。また、設定登録部１９は、図１０中（Ｚ）に示すように、クーポン対象商品と第１の同時購入商品群に含まれるいずれかの同時購入商品とが利用者によって選択された際に、クーポン対象商品に対して適用される割引率を入力するためのテキストボックスを表示させる。
【００９８】
また、設定登録部１９は、図１０中（ａ）に示すように、第２の同時購入商品群の商品ＩＤを入力するためのテキストボックスを表示させる。また、設定登録部１９は、図１０中（ｂ）に示すように、クーポン対象商品と第２の同時購入商品群に含まれるいずれかの同時購入商品とが利用者によって選択された際に、クーポン対象商品に対して適用される割引率を入力するためのテキストボックスを表示させる。
【００９９】
上述したクーポンの設定が行われた結果、設定登録部１９は、クーポン情報管理テーブル１５に、図１１に示す情報を格納する。図１１は、実施形態に係るクーポン情報管理テーブルに格納される情報の一例を示す図である。図１１に示すように、クーポン情報管理テーブル１５には、クーポンＩＤ、店舗ＩＤ、クーポン対象商品、第１の同時購入商品群、第２の同時購入商品群、第１の割引率、第２の割引率が対応付けて格納される。
【０１００】
ここで、第１の割引率とは、クーポン対象商品と第１の同時購入商品群に含まれる商品とを利用者が選択した際に、クーポン対象商品に対して適用される割引率である。また、第２の割引率とは、クーポン対象商品と第２の同時購入商品群に含まれる商品とを利用者が選択した際に、クーポン対象商品に対して適用される割引率である。
【０１０１】
例えば、図１１に示す例では、クーポン情報管理テーブル１５には、クーポンＩＤ「クーポン＃１」、店舗ＩＤ「店舗＃１」、クーポン対象商品「商品＃１」「商品＃２」「商品＃３」…、第１の同時購入商品群「商品＃１１」「商品＃１２」「商品＃１３」…、第２の同時購入商品群「商品＃２１」、「商品＃２２」、「商品＃２３」…、第１の割引率「３割引」、第２の割引率「５割引」が対応付けて格納されている。また、クーポン情報管理テーブル１５には、クーポンＩＤ「クーポン＃２」、店舗ＩＤ「店舗＃１」、クーポン対象商品「商品＃４」、第１の同時購入商品群「商品＃４」「商品＃１１」、第２の同時購入商品群「商品＃２１」「商品＃２２」「商品＃２３」、第１の割引率「１割引」、第２の割引率「２割引」が対応付けて格納されている。
【０１０２】
また、クーポン情報管理テーブル１５には、クーポンＩＤ「クーポン＃３」、店舗ＩＤ「店舗＃２」、クーポン対象商品「商品＃１」「商品＃２」「商品＃３」…、第１の同時購入商品群「商品＃１１」「商品＃１３」、第２の同時購入商品群「商品＃２１」、第１の割引率「３割引」、第２の割引率「５割引」とが対応付けて格納されている。また、クーポン情報管理テーブル１５には、クーポンＩＤ「クーポン＃４」、店舗ＩＤ「店舗＃３」、クーポン対象商品「商品＃３」、第１の同時購入商品群「商品＃１１」「商品＃１４」、第２の同時購入商品群「商品＃２２」、第１の割引率「２割引」、第２の割引率「３割引」が対応付けて格納されている。
【０１０３】
図１１に示す情報がクーポン情報管理テーブル１５に格納されている場合、商品情報提供部１８は、図１２に示すＷｅｂページを作成する。図１２は、実施形態に係る電子取引サーバが生成するＷｅｂページの変形例を説明する図である。なお、図１２には、商品情報提供部１８が、図１１に示すクーポンの情報のうち、クーポンＩＤが「クーポン＃１」であるクーポンの情報を用いて作成したＷｅｂページの一例について記載した。
【０１０４】
例えば、商品情報提供部１８は、図１２に示すように、クーポンの獲得ボタンと、かかる獲得ボタンにより獲得可能なクーポンの適用対象となるクーポン対象商品と、かかるクーポンの適用条件となる第１の同時購入商品群と、第２の同時購入商品群との表示が含まれるＷｅｂページを生成する。詳細には、商品情報提供部１８は、表示対象となるクーポンのクーポンＩＤと対応付けられた第１の割引率が「３割引」であり、第２の割引率が「５割引」であるため、図１２中（ｃ）に示すように、同時購入商品を同時購入すると、対象商品を３割から５割引にする旨を表示するＷｅｂページを作成する。また、商品情報提供部１８は、図１２中（ｄ）に示すように、商品ＩＤ「商品＃１１」〜「商品＃１５」が示す商品、すなわち第１の同時購入商品群を、クーポン対象商品が３割引となる同時購入商品として表示するＷｅｂページを作成する。
【０１０５】
また、商品情報提供部１８は、図１２中（ｅ）に示すように、商品ＩＤ「商品＃２１」〜「商品＃２５」が示す商品、すなわち第２の同時購入商品群を、クーポン対象商品が５割引となる同時購入商品として表示するＷｅｂページを作成する。かかるＷｅｂページを作成することで、電子取引サーバ１０は、利用者に対し、それぞれ割引率が異なる複数の同時購入商品群から、希望する同時購入商品を選択させることができるので、利用者の選択の幅を広げ、販売機会を伸ばすことができる。
【０１０６】
また、図１２に示すＷｅｂページ上で、利用者が商品を選択し、決済を要求した場合は、判定部２２は、以下の処理を実行する。まず、判定部２２は、決済を要求した利用者ＩＤと対応付けられた商品ＩＤを買い物カゴ管理テーブル１７から読み出し、決済を要求した利用者ＩＤと対応付けられたクーポンＩＤを獲得クーポン情報管理テーブル１６から読み出す。
【０１０７】
そして、判定部２２は、読み出したクーポンＩＤと対応付けられたクーポンの情報をクーポン情報管理テーブル１５から読み出す。そして、判定部２２は、読み出したクーポンの情報に含まれるクーポン対象商品の商品ＩＤのいずれかが、買い物カゴ管理テーブル１７から読み出した商品ＩＤに含まれているか否かを判定する。
【０１０８】
また、判定部２２は、クーポン対象商品の商品ＩＤが買い物カゴ管理テーブル１７から読み出した商品ＩＤに含まれている場合は、以下の処理を実行する。まず、判定部２２は、読み出したクーポンの情報に含まれる第１の同時購入商品群の商品ＩＤのいずれかが、買い物カゴ管理テーブル１７から読み出した商品ＩＤに含まれているか否かを判定する。また、判定部２２は、第１の同時購入商品群の商品ＩＤのいずれかが、買い物カゴ管理テーブル１７から読み出した商品ＩＤに含まれている場合は、第１の割引率を適用すると判定する。
【０１０９】
一方、判定部２２は、第１の同時購入商品群の商品ＩＤのいずれかが、買い物カゴ管理テーブル１７から読み出した商品ＩＤに含まれていない場合は、読み出したクーポンの情報に含まれる第２の同時購入商品群の商品ＩＤのいずれかが、買い物カゴ管理テーブル１７から読み出した商品ＩＤに含まれているか否かを判定する。そして、判定部２２は、第２の同時購入商品群の商品ＩＤのいずれかが、買い物カゴ管理テーブル１７から読み出した商品ＩＤに含まれている場合は、第２の割引率を適用すると判定する。
【０１１０】
例えば、判定部２２は、クーポンＩＤ「クーポン＃１」が示すクーポンを利用者が獲得しており、買い物カゴに商品ＩＤ「商品＃３」「商品＃１２」が含まれる場合には、図１１に示したクーポン情報管理テーブル１５の情報より、利用者が選択した商品にクーポン対象商品と第１の同時購入商品とが含まれていると判断する。この結果、判定部２２は、クーポンの適用内容が第１の割引率「３割引」であると判定する。一方、判定部２２は、クーポンＩＤ「クーポン＃１」が示すクーポンを利用者が獲得しており、買い物カゴに商品ＩＤ「商品＃３」「商品＃２３」が含まれる場合には、利用者が選択した商品にクーポン対象商品と第２の同時購入商品とが含まれていると判断する。この結果、判定部２２は、クーポンの適用内容が第２の割引率「５割引」であると判定する。
【０１１１】
その後、判定部２２は、適用するクーポンのクーポンＩＤに対応付けられたクーポンの情報と、買い物カゴ管理テーブル１７から抽出した商品ＩＤと、利用者ＩＤと、適用する割引率の通知とを決済部２３に出力する。この結果、決済部２３は、クーポン対象商品と、第１の同時購入商品群のいずれかとを利用者が選択した場合は、第１の割引率をクーポン対象商品に適用し、クーポン対象商品と、第２の同時購入商品群のいずれかとを利用者が選択した場合は、第２の割引率をクーポン対象商品に適用する。
【０１１２】
このように、電子取引サーバ１０は、それぞれ異なる割引率が設定された複数の同時購入商品群から、クーポンの適用条件となる商品を利用者に選択させることができる。この結果、電子取引サーバ１０は、利用者の選択の幅を広げ、販売機会を向上させることができる。なお、電子取引サーバ１０は、１つまたは１組のクーポン対象商品に対し、任意の数の同時購入商品群を設定することができる。かかる処理を実行することで、電子取引サーバ１０は、利用者がクーポンの適用を受けるための選択の幅を広げ、販売機会の損失を防ぐことができる。
【０１１３】
［６−３．同時購入商品について］
上述した例では、電子取引サーバ１０は、クーポン対象商品と複数の同時購入商品との商品ＩＤを対応付けて記憶した。しかしながら、実施形態は、これに限定されるものではない。例えば、電子取引サーバ１０は、同時購入商品の商品ＩＤに店舗ＩＤを付加することで、他店舗の商品を同時購入商品とする設定を許容しても良い。
【０１１４】
例えば、運営者は、クーポン対象商品の商品ＩＤ「商品＃１」に対応付けて、同時購入商品の商品ＩＤと店舗ＩＤとの組「商品＃１１（店舗＃１）」「商品＃１２（店舗＃２）」を対応付けて登録する。かかる場合、電子取引サーバ１０は、商品ＩＤ「商品＃１」の商品と、店舗ＩＤ「店舗＃１」が示す店舗に出品された商品のうち商品ＩＤ「商品＃１１」が示す商品とを利用者が選択した場合には、クーポンを適用する。また、電子取引サーバ１０は、商品ＩＤ「商品＃１」の商品と、店舗ＩＤ「店舗＃２」が示す店舗に出品された商品のうち商品ＩＤ「商品＃１２」が示す商品とを利用者が選択した場合には、クーポンを適用する。一方、電子取引サーバ１０は、商品ＩＤ「商品＃１」の商品と、店舗ＩＤ「店舗＃１」が示す店舗に出品された商品のうち例えば商品ＩＤ「商品＃１２」が示す商品とを利用者が選択した場合には、クーポンを適用しない。
【０１１５】
このように、電子取引サーバ１０は、同時購入商品と同時購入商品を出品する店舗とを対応付けた組を、クーポン対象商品に対応付けて記憶する。そして、電子取引サーバ１０は、クーポン対象商品と、かかるクーポン対象商品と対応付けられた同時購入商品であって、かかる同時購入商品と対応付けて記憶された店舗が出品する同時購入商品とが、利用者の選択した商品に含まれる場合は、クーポンの適用を行う。このため、電子取引サーバ１０は、同時購入商品として設定される商品の幅を広げることができる。
【０１１６】
また、電子取引サーバ１０は、クーポンを設定する運営者が自店の商品をクーポン対象商品とし、他店の人気商品を同時購入商品とするクーポンの設定を行わせることができる。この結果、電子取引サーバ１０は、クーポンを設定した運営者の販売機会を向上させることができる。
【０１１７】
［６−４．処理の主体について］
上述した実施形態では、クーポンの設定、クーポン対象商品と同時購入商品とのＷｅｂ表示、利用者が獲得したクーポンの管理、クーポン適用の可否判定、および、判定結果に応じた決済処理を実行する電子取引サーバ１０について説明した。しかしながら、実施形態は、これに限定されるものではない。例えば、電子取引サーバ１０が実行する処理の全て、若しくは一部は、任意の粒度で分割し、分割した各処理をそれぞれ異なるサーバが実行することで実現されてもよい。まだ、電子取引サーバ１０が発揮する機能は、いわゆるクラウドシステムによって実現されても良い。
【０１１８】
例えば、情報処理システム１は、商品情報提供部１８と同様の機能を発揮するＷｅｂサーバ、設定登録部１９およびクーポン管理部２０と同様の機能を発揮するクーポン管理サーバ、受付部２１、判定部２２、および決済部２３と同様の機能を発揮する決済サーバを有する。また、情報処理システム１は、商品情報テーブル１４、クーポン情報管理テーブル１５、獲得クーポン情報管理テーブル１６、および買い物カゴ管理テーブル１７と同様の情報を記憶するデータベースサーバを有する。そして、Ｗｅｂサーバ、クーポン管理サーバ、決済サーバ、およびデータベースサーバが連携して動作することで、電子取引サーバ１０と同等の機能を発揮することとしてもよい。
【０１１９】
また、他の例では、商品情報提供部１８、設定登録部１９、クーポン管理部２０、受付部２１、判定部２２、決済部２３が発揮する各機能をそれぞれ異なるサーバが発揮することとしてもよい。
【０１２０】
［６−５．クーポンの適用判定について］
上述した実施形態では、電子取引サーバ１０は、利用者がクーポン対象商品と同時購入商品とのいずれかを選択したか否かに応じて、クーポンの適用を判定した。しかしながら、実施形態はこれに限定されるものではない。すなわち、電子取引サーバ１０は、上述した判定処理以外の処理をさらに実行しても良い。例えば、電子取引サーバ１０は、上述したように、利用者がクーポン対象商品と同時購入商品とのいずれかを選択したか否かを判定する。
【０１２１】
そして、電子取引サーバ１０は、利用者がクーポン対象商品と同時購入商品とのいずれかを選択したと判定した場合は、以下の処理を実行する。例えば、電子取引サーバ１０は、利用者が有する電子商店街のポイント残高や店舗の広告メールを利用者が受け取っているか受け取っていないか等、運営者によって設定される任意の適用条件、現存する商品の数、決済方法等に応じて、クーポンの適用を判断する。このように、電子取引サーバ１０は、利用者がクーポン対象商品と同時購入商品とを選択し、かつ、利用者が選択した商品やかかる利用者がかかるクーポンの適用条件を満たしているか否かを判定する。かかる処理を実行した場合、運営者は、クーポンの内容をより細かく設定することができる。
【０１２２】
［６−６．その他］
上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。また、例えば、各図に示したアプリケーションのＵＩ（User  Interface）は、これに限定されるものではない。
【０１２３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２４】
［７．電子取引サーバ１０が実行する処理の流れ］
次に、図１３、図１４を用いて、電子取引サーバ１０が実行する処理の流れについて説明する。まず、図１３を用いて、電子取引サーバ１０がクーポンの設定を受け付ける処理の流れについて説明する。
【０１２５】
図１３は、実施形態に係る電子取引サーバがクーポンの設定を受け付ける処理の流れを示すフローチャートである。例えば、電子取引サーバ１０は、図７、図８、図１０に示す設定登録画面を用いて運用者がクーポンの情報を入力した場合は、入力されたクーポンの情報のうち、クーポン対象商品の商品ＩＤを登録する（ステップＳ１０１）。次に、電子取引サーバ１０は、入力されたクーポンの情報のうち、同時購入商品の商品ＩＤとかかる同時購入商品を購入した際の割引率とをステップＳ１０１にて登録したクーポン対象商品の商品ＩＤと対応付けて登録する（ステップＳ１０２）。
【０１２６】
次に、電子取引サーバ１０は、登録していない同時購入商品のグループが存在するか否かを判定し（ステップＳ１０３）、存在すると判定した場合は（ステップＳ１０３：Ｙｅｓ）、ステップＳ１０２を実行する。一方、電子取引サーバ１０は、登録していない同時購入商品のグループが存在しない場合は（ステップＳ１０３：Ｎｏ）、処理を終了する。
【０１２７】
次に、図１４を用いて、電子取引サーバ１０がクーポンを適用するか否かを判定する処理の流れについて説明する。図１４は、実施形態に係る電子取引サーバがクーポンを適用するか否かを判定する処理を示すフローチャートである。まず、電子取引サーバ１０は、利用者が選択した商品の商品ＩＤを取得し（ステップＳ２０１）、かかる利用者が獲得したクーポンのクーポン対象商品と同時購入商品との商品ＩＤを取得する（ステップＳ２０２）。
【０１２８】
そして、電子取引サーバ１０は、クーポン対象商品の商品ＩＤと同時購入商品の商品ＩＤのいずれかとが、利用者が選択した商品の商品ＩＤに含まれているか否かを判定する（ステップＳ２０３）。電子取引サーバ１０は、クーポン対象商品の商品ＩＤと同時購入商品の商品ＩＤのいずれかとが、利用者が選択した商品の商品ＩＤに含まれていると判定した場合は（ステップＳ２０３：Ｙｅｓ）、クーポンを適用して決済処理を実行し（ステップＳ２０４）、処理を終了する。また、電子取引サーバ１０は、クーポン対象商品の商品ＩＤ、または、同時購入商品の商品ＩＤが、利用者が選択した商品の商品ＩＤに含まれていないと判定した場合は（ステップＳ２０３：Ｎｏ）、クーポンを適用せずに決済処理を実行し（ステップＳ２０５）、処理を終了する。
【０１２９】
［８．効果］
上述したように、電子取引サーバ１０は、クーポン対象商品と同時購入商品とを対応付けて記憶する。また、電子取引サーバ１０は、利用者が選択した商品に、クーポン対象商品が含まれ、かつ、同時購入商品のいずれかが含まれているか否かを判定する。そして、電子取引サーバ１０は、利用者が選択した商品に、クーポン対象商品が含まれ、かつ、同時購入商品のいずれかが含まれている場合は、クーポンを適用する。このため、電子取引サーバ１０は、利用者が同時購入商品を複数の商品から選択することを可能とし、利用者が望む組合わせの商品に対するクーポンを提供することができる。
【０１３０】
また、電子取引サーバ１０は、複数のクーポン対象商品と複数の同時購入商品とを対応付けて記憶し、利用者が選択した商品に、クーポン対象商品のいずれかが含まれ、かつ、同時購入商品のいずれかが含まれているか否かを判定する。このため、電子取引サーバ１０は、クーポン対象商品と同時購入商品とを、それぞれ複数の商品から選択することができるクーポンを提供することができる。この結果、電子取引サーバ１０は、利用者の選択の幅を広げ、販売機会を向上させることができる。
【０１３１】
また、電子取引サーバ１０は、クーポン対象商品と、同時購入商品との登録を店舗端末２から受け付ける。そして、電子取引サーバ１０は、受け付けたクーポン対象商品と、同時購入商品とを対応付けて記憶する。このため、電子取引サーバ１０は、運営者にクーポンの設定を行わせることができる。
【０１３２】
また、電子取引サーバ１０は、クーポン対象商品と、同時購入商品と、割引率等のクーポンの適用内容とを対応付けて記憶する。そして、電子取引サーバ１０は、利用者が選択した商品に、クーポン対象商品が含まれ、かつ、同時購入商品のいずれかが含まれている場合には、かかるクーポン対象商品および同時購入商品に対応付けられたクーポンの内容を適用させる。このため、電子取引サーバ１０は、クーポンごとに異なる適用内容を設定することができる。
【０１３３】
また、電子取引サーバ１０は、クーポン対象商品に対し、第１の同時購入商品群と第１の適用内容との組、および、第２の同時購入商品群と第２の適用内容との組を対応付けて記憶する。また、電子取引サーバ１０は、利用者が選択した商品に、クーポン対象商品が含まれ、かつ、第１の同時購入商品群または第２の同時購入商品群に含まれるいずれかの商品が含まれるか否かを判定する。そして、電子取引サーバ１０は、利用者が選択した商品に、クーポン対象商品が含まれ、かつ、第１の同時購入商品群のいずれかの商品が含まれる場合は、第１の適用内容を反映させる。また、電子取引サーバ１０は、利用者が選択した商品に、クーポン対象商品が含まれ、かつ、第２の同時購入商品群のいずれかの商品が含まれる場合は、第２の適用内容を反映させる。
【０１３４】
このため、電子取引サーバ１０は、同時購入商品群ごとに、異なる適用内容を設定することができる。例えば、電子取引サーバ１０は、利用者が選択した商品に、クーポン対象商品と第１の同時購入商品群のいずれかとが含まれる場合は、クーポン対象商品を３割引にし、利用者が選択した商品に、クーポン対象商品と第２の同時購入商品群のいずれかとが含まれる場合は、クーポン対象商品を５割引にする。このため、電子取引サーバ１０は、利用者の選択の幅を広げ、販売機会を向上させることができる。
【０１３５】
また、電子取引サーバ１０は、クーポン対象商品と、同時購入商品と、クーポンＩＤとを対応付けて記憶する。そして、電子取引サーバ１０は、利用者が選択した商品に、利用者が獲得したクーポンＩＤと対応付けられたクーポン対象商品が含まれ、かつ、利用者が獲得したクーポンＩＤと対応付けられた複数の同時購入商品のいずれかが含まれているか否かを判定する。このため、電子取引サーバ１０は、利用者がクーポンを獲得しているか否かに応じて、クーポンの適用を判定することができる。
【０１３６】
また、電子取引サーバ１０は、クーポン対象商品と、同時購入商品とを並べて表示するＷｅｂページを利用者端末４に出力し、利用者端末４を介して利用者が選択した商品に、クーポン対象商品と、複数の同時購入商品のいずれかが含まれているか否かを判定する。このため、利用者は、クーポンの適用を受ける組み合わせを容易に選択することができる。
【０１３７】
以上、本願の実施形態を図面に基づいて詳細に説明したが、これらは例示であり、発明の開示の欄に記載の態様を始めとして、当業者の知識に基づいて種々の変形、改良を施した他の形態で本発明を実施することが可能である。
【０１３８】
また、特許請求の範囲に記載した「手段」は、「部（section、module、unit）」や「回路」などに読み替えることができる。例えば、収集手段は、収集部や収集回路に読み替えることができる。
【０１３９】
［９．プログラム］
なお、上述した実施形態における電子取引サーバ１０は、例えば図１５に示すような構成のコンピュータ７０がクーポン提供プログラムを実行することによって実現される。図１５は、クーポン提供プログラムを実行するコンピュータのハードウェア構成の一例を示す図である。コンピュータ７０は、ＣＰＵ（Central  Processing  Unit）７１、ＲＡＭ（Random  Access  Memory）７２、ＲＯＭ（Read  Only  Memory）７３、ＨＤＤ（Hard  Disk  Drive）７４、通信インターフェイス（Ｉ／Ｆ）７５、入出力インターフェイス（Ｉ／Ｆ）７６、およびメディアインターフェイス（Ｉ／Ｆ）７７を備える。
【０１４０】
ＣＰＵ７１は、ＲＯＭ７３またはＨＤＤ７４に格納されたプログラムに基づいて動作し、各部の制御を行う。ＲＯＭ７３は、コンピュータ７０の起動時にＣＰＵ７１によって実行されるブートプログラムや、コンピュータ７０のハードウェアに依存するプログラム等を格納する。
【０１４１】
ＨＤＤ７４は、ＣＰＵ７１によって実行されるクーポン提供プログラム、および、クーポン提供プログラムによって使用されるデータ等を格納する。例えば、ＨＤＤ７４は、図２に記載した商品情報テーブル１４、クーポン情報管理テーブル１５、獲得クーポン情報管理テーブル１６、および買い物カゴ管理テーブル１７等と同様のデータを記憶する。通信インターフェイス７５は、ネットワーク３を介して他の機器からデータを受信してＣＰＵ７１へ送り、ＣＰＵ７１が生成したデータを、ネットワーク３を介して他の機器へ送信する。
【０１４２】
ＣＰＵ７１は、入出力インターフェイス７６を介して、ディスプレイやプリンタ等の出力装置、および、キーボードやマウス等の入力装置を制御する。ＣＰＵ７１は、入出力インターフェイス７６を介して、入力装置からデータを取得する。また、ＣＰＵ７１は、生成したデータを、入出力インターフェイス７６を介して出力装置へ出力する。
【０１４３】
メディアインターフェイス７７は、記録媒体７８に格納されたプログラムまたはデータを読み取り、ＲＡＭ７２を介してＣＰＵ７１に提供する。ＣＰＵ７１は、当該プログラムを、メディアインターフェイス７７を介して記録媒体７８からＲＡＭ７２上にロードし、ロードしたプログラムを実行する。記録媒体７８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１４４】
コンピュータ７０が上述した実施形態に係る電子取引サーバ１０として機能する場合、コンピュータ７０のＣＰＵ７１は、ＲＡＭ７２上にロードされたプログラムを実行することにより、商品情報提供部１８、設定登録部１９、クーポン管理部２０、受付部２１、判定部２２、決済部２３の各機能を実現する。
【０１４５】
コンピュータ７０のＣＰＵ７１は、クーポン提供プログラムを、記録媒体７８から読み取って実行するが、他の例として、他の装置から、ネットワーク３を介してこれらのプログラムを取得してもよい。
【０１４６】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得ることが、特許請求の範囲の記載から明らかである。
【符号の説明】
【０１４７】
１  情報処理システム
２  店舗端末
３  ネットワーク
４  利用者端末
１０  電子取引サーバ
１１  通信部
１２  制御部
１３  記憶部
１４  商品情報テーブル
１５  クーポン情報管理テーブル
１６  獲得クーポン情報管理テーブル
１７  買い物カゴ管理テーブル
１８  商品情報提供部
１９  設定登録部
２０  クーポン管理部
２１  受付部
２２  判定部
２３  決済部
【図１】
2015072529.tif 000003
【図２】
2015072529.tif 000004
【図３】
2015072529.tif 000005
【図４】
2015072529.tif 000006
【図５】
2015072529.tif 000007
【図６】
2015072529.tif 000008
【図７】
2015072529.tif 000009
【図８】
2015072529.tif 000010
【図９】
2015072529.tif 000011
【図１０】
2015072529.tif 000012
【図１１】
2015072529.tif 000013
【図１２】
2015072529.tif 000014
【図１３】
2015072529.tif 000015
【図１４】
2015072529.tif 000016
【図１５】
2015072529.tif 000017